(57)【要約】【課題】  ゲームに応じて遊技機内に取り込む遊技球数を所定単位毎で変化させることができるようにして魅力あるゲームが行えるようにした遊技機を提供できる遊技球取り込み装置を提供する。【解決手段】  遊技球を用いた遊技機における受け皿９内の遊技球を遊技機内に取り込む装置であって、所定数の遊技球が２本のレール間に並んで転動する転動路装置３５を複数組設けて１列に形成し、該複数組の転動路装置３５は、夫々個別ないし同時にレール上の所定数単位の遊技球を落下する落下手段をもち、所定数単位で落下した遊技球は遊技機内に取り込まれることを特徴とする遊技球取り込み装置３０である。【選択図】    図３
2006149536.tif 000002
【特許請求の範囲】
【請求項１】
遊技球を用いた遊技機における受け皿内の遊技球を遊技機内に取り込む装置であって、所定数の遊技球が転動する転動路装置を複数組設けて直列に形成し、該複数組の転動路装置に転動路装置上の遊技球を落下する落下手段を備え、遊技機前面の操作ボタンにより前記落下手段が作動して遊技機内に所定数単位の遊技球が同時に取り込まれることを特徴とする遊技球取り込み装置。
【請求項２】
前記転動路装置は、該転動路装置上の遊技球を所定数単位で仕切る仕切り装置を転動路装置の上流側に設けてあり、少なくとも前記落下手段が作動中は前記仕切り装置が働いて転動路装置より上流側の遊技球が落下しないようになっていることを特徴とする請求項１記載の遊技球取り込み装置。
【請求項３】
前記転動路装置は、該転動路装置上の遊技球に対してカラー光線を照射するカラー光照射装置をもち、該カラー光照射装置は、夫々の転動路装置上の遊技球に対して異なるカラー光で照射することを特徴とする請求項１乃至２記載の遊技球取り込み装置。
【請求項４】
前記転動路装置の遊技球落下手段は、遊技球の転動部を傾動させ、転動路上の所定数の遊技球全部を同時に落下させるようにしたことを特徴とする請求項１乃至３記載の遊技球取り込み装置。
【請求項５】
前記転動路装置の遊技球落下手段は、遊技球の転動部を形成する底部の間隔を広げて転動路上の所定数の遊技球全部を同時に落下させるようにしたことを特徴とする請求項１乃至４記載の遊技球取り込み装置。
【請求項６】
前記転動路装置は透明なカバーで覆われ、外部の遊技者からは転動路装置内の遊技球が視認できることを特徴とする請求項１乃至５記載の遊技球取り込み装置。
【請求項７】
前記転動路装置は遊技球転動部の底部の間隔を広げて遊技球を落下すると同時に、該転動路装置の上流側から遊技球が流れないようにする仕切り装置が働いて落下装置が作動中に上流側からの遊技球を遮断するようにしたことを特徴とする請求項１乃至６記載の遊技球取り込み装置。
【請求項８】
前記転動路装置は、転動路装置の底面が棒状部材で形成され棒状部上面を遊技球が転動するように設けてあることを特徴とする請求項１乃至６記載の遊技球取り込み装置。
【発明の詳細な説明】
【技術分野】
【０００１】
本発明は、例えば鋼球を媒体として遊技に応じて遊技球の数を所定単位数毎に取り込んで遊技する遊技機の遊技球取り込み装置に関し、例えば遊技球でスロットゲームを行なうパロット機や、アレンジボールゲームを行なうパチンコ機に用いられるものである。
【背景技術】
【０００２】
通常、鋼球等の遊技球を用いるパチンコ機等遊技機の遊技球取り込み装置は、遊技球1個毎に遊技機内に取り込んで発射装置で発射するのが一般的である。
【０００３】
【特許文献１】特開平２００２−３６０８０４号公報
【特許文献２】特開平０７−０３９６１８号公報
【発明の開示】
【発明が解決しようとする課題】
【０００４】
しかしながら常に遊技球1個毎で遊技を行なうのではなく、魅力ある遊技機とするために所定数の遊技球を１単位として遊技球を遊技機内に取り込み、パチンコゲームに変化をつけて、また遊技球でメダルに代わるスロットゲームが行なえるようにしたパロット機が発明されている。この場合、所定数の遊技球を確実に遊技機内に取り込むことが必要で、遊技球取り込みに時間が掛かり、従来のパチンコ機やスロット機のような取り込み速さでゲームを行なうのが困難であった。
本発明はこのような従来技術の課題に着目して発明されたもので、遊技球の取り込みを機構が簡単で、所定数の取り込みを短時間で行なえ、また遊技機内に取り込む遊技球数の変化に応じて簡単に取り込みすることができるようにして、魅力あるゲームが行える遊技機を提供できるものである。
【課題を解決するための手段】
【０００５】
本発明は上記の目的を達成するためになされたものであって、即ち本発明の要旨とする請求項１の発明は、遊技球を用いた遊技機における受け皿内の遊技球を遊技機内に取り込む装置であって、所定数の遊技球が転動する転動路装置を複数組設けて直列に形成し、該複数組の転動路装置に転動路装置上の遊技球を落下する落下手段を備え、遊技機前面の操作ボタンにより前記落下手段が作動して遊技機内に所定数単位の遊技球が同時に取り込まれることを特徴とする遊技球取り込み装置である。
【０００６】
また本発明の請求項２の発明は、上記において前記転動路装置は、該転動路装置上の遊技球を所定数単位で仕切る仕切り装置を転動路装置の上流側に設けてあり、少なくとも前記落下手段が作動中は前記仕切り装置が働いて転動路装置より上流側の遊技球が落下しないようになっていることを特徴とする遊技球取り込み装置である。
【０００７】
また本発明の請求項３の発明は、上記において前記転動路装置は、該転動路装置上の遊技球に対してカラー光線を照射するカラー光照射装置をもち、該カラー光照射装置は、夫々の転動路装置上の遊技球に対して異なるカラー光で照射することを特徴とする遊技球取り込み装置である。
【０００８】
また本発明の請求項４の発明は、上記において前記転動路装置の遊技球落下手段は、遊技球の転動部を傾動させ、転動路上の所定数の遊技球全部を同時に落下させるようにしたことを特徴とする遊技球取り込み装置である。
【０００９】
また本発明の請求項５の発明は、上記において前記転動路装置の遊技球落下手段は、遊技球の転動部を形成する底部の間隔を広げて転動路上の所定数の遊技球全部を同時に落下させるようにしたことを特徴とする遊技球取り込み装置である。
【００１０】
また本発明の請求項６の発明は、上記において前記転動路装置は透明なカバーで覆われ、外部の遊技者からは転動路装置内の遊技球が視認できることを特徴とする遊技球取り込み装置である。
【００１１】
また本発明の請求項７の発明は、上記において前記転動路装置は遊技球転動部の底部の間隔を広げて遊技球を落下すると同時に、該転動路装置の上流側から遊技球が流れないようにする仕切り装置が働いて落下装置が作動中に上流側からの遊技球を遮断するようにしたことを特徴とする遊技球取り込み装置である。
【００１２】
また本発明の請求項８の発明は、上記において前記転動路装置は、転動路装置の底面が棒状部材で形成され棒状部上面を遊技球が転動するように設けてあることを特徴とする遊技球取り込み装置である。
【発明の効果】
【００１３】
しかして本発明の遊技球取り込み装置は、遊技球を用いた遊技機における受け皿内の遊技球を遊技機内に取り込む装置であって、所定数の遊技球が転動する転動路装置を複数組設けて直列に形成し、該複数組の転動路装置に転動路装置上の遊技球を落下する落下手段を備え、遊技機前面の操作ボタンにより前記落下手段が作動して遊技機内に所定数単位の遊技球が同時に取り込まれるようになっている。
このため遊技機ゲームの要望に応じて、または遊技者の要望に応じて遊技球数を変化させて遊技することが可能になり、このため取り込まれた遊技球数によってゲームに変化を持たせることができ、変化のある遊技が行なえる。更に所定数の遊技球を同時に遊技機内へ取り込まれるから、時間的な間隔を置かずに短時間に取り込め、スリルのある感覚で遊技球を用いた遊技が行なえる。
【００１４】
前前記転動路装置は、該転動路装置上の遊技球を所定数単位で仕切る仕切り装置を転動路装置の上流側に設けてあり、少なくとも前記落下手段が作動中は前記仕切り装置が働いて転動路装置より上流側の遊技球が落下しないようになっている。
このため落下手段が作動して遊技球落下中に転動路の上流側から遊技球が流下して遊技機内に落下することがなく、確実に所定数単位の遊技球を遊技球内に同時に取り込むことができる。また遊技球は転動路装置上に所定数単位で載置されるから、確実に所定単位数の遊技球が取り込まれる。
【００１５】
また転動路装置は、転動路装置上の遊技球に対してカラー光線を照射するカラー光照射装置をもち、該カラー光照射装置は、夫々の転動路装置上の遊技球に対して異なるカラー光で照射するようになっている。このため遊技球単位で遊技球がカラー照射され、しかも遊技球単位ごとに例えば赤、青、黄等、異なるカラーで照射されているので遊技における興趣が増し、遊技者にとって所定球数単位の遊技球取り込みが臨場感をもって容易に確認できる。
【００１６】
また前記転動路装置の遊技球落下手段は、遊技球の転動部を傾動させ、転動路上の所定数の遊技球全部を同時に落下させるようにしたり、また遊技球落下手段は、遊技球の転動部を形成する間隔を広げて転動路上の所定数の遊技球全部を同時に落下させるようになっている。したがって、所定球数の多数の遊技球が時間的な間を置かずに全部の遊技球を同時に遊技機内に取り込むことができ、遊技者にとってはメダルを使用するスロットゲームと同じ感覚で遊技を行なえる。
【００１７】
また遊技球の取り込み装置は、前記転動路装置は透明なカバーで覆われて装着され、外部の遊技者からは転動路装置内の遊技球が視認できるようになっている。このため遊技者にとっては、前記所定遊技球数毎にカラー照射された遊技球を、興趣をもって視認することができ、取り込み装置内の遊技球が視認できる結果、安心してゲームを行なうことができる。
【００１８】
また前記転動路装置は、遊技球転動部の間隔を広げて遊技球を落下すると同時に、上流側から遊技球が流れないようにする仕切り装置が働く遊技球取り込み装置である。即ち遊技球の落下取り込みと同時に転動装置より上流側からの遊技球の流下が遮断されるから、上流側の遊技球が遊技機に取り込まれることがなく、正確な遊技球取り込みが行なわれる。
【００１９】
また転動路装置の底面は棒状の部材でレール状に形成されてその上を遊技球が転動する。従って棒状間に隙間があってその上を遊技球が転動するので、転動路上にごみ等の異物が溜まることがなく、遊技球が円滑に転動して遊技球が停滞しないので、計数不良が生じない。更にレール状態を傾けたり、レール間隔広げたりして転動路上の遊技球を同時に落下させ遊技機内に取り込むことが容易に行なえる。
【発明を実施するための最良の形態】
【００２０】
以下本発明の一実施例について説明する。図１は本発明の実施例を示す遊技機Ｍであり、縦長箱型の本体１に開閉自在に前枠２が設けられ、前枠２に装飾枠３が設けられ、装飾枠３の中央部に各図柄ドラム用の透視窓４，４，４が形成され、その下部にスタートレバー５及び各図柄停止用の手動停止ボタン６，６，６が設けられている。また上記各透視窓４には遊技球の規定数単位の投入取り込み条件に対応する図柄組合わせ入賞ラインが設定されている。
【００２１】
ちなみにこの入賞ラインは、所定遊技球１単位の投入取り込みでは中央部水平線の１ラインのみが有効で、所定遊技球２単位分の投入取り込みでは中央部と上下の水平線の３ラインが有効で、そして所定遊技球３単位分の投入取り込みでは互いに交差する斜線をふくむ５ライン全ての入賞モードが有効化設定される。また装飾枠３の上部表示部にはゲーム内容等が表示される。また透視窓４の付近には入賞にかかわる得点数字等が表示される。
【００２２】
本体1内には３個の図柄ドラム７、７、７が設置されており、各ドラム７にはその外周面に所定の図柄、例えば文字、絵、数字が所定の配置に設けられている。各ドラム７の停止態様は遊技者による各停止ボタン６、６、６、の操作によって行なわれ、所定時間経過後停止し、夫々の停止図柄が透視窓４、４、４、に表示される。また前記取り込み遊技球数の単位に応じて有効化された入賞ライン上に各ドラム７の図柄が表示されると入賞が成立するようになっている。
【００２３】
なお、遊技媒体切換えボタン４８、４９を遊技機の前面パネルに設けてあり、４８のボタンで従来のメダルにより行なうスロットゲームを、４９のボタンにより遊技球でゲームを行なうパロット機として、両方の遊技媒体が使えるようにしてある。１２は所定単位の遊技球投入取り込み選択ボタンである。
Ｆには図２で示す遊技球取り込み装置３０が設けられている。また受皿９は支持板８と一体で本体１から開閉するようになっている。
【００２４】
図２は遊技球取り込み装置３０の概略図を示し、賞球吐き出し口２２からの遊技球が受皿９の遊技球貯留部２１へ貯留され、支持板８の裏側の本体１内に設けられた数転動路装置３5ａ、３５ｂ、３５ｃへ流下する。各転動路装置３5ａ、３５ｂ、３５ｃは直列に１列に形成され、受皿９内から１列に整列される流通路２３と、流通路２３の延長上に３組の各転動路装置３5ａ、３５ｂ、３５ｃが設置されている。各転動路装置３５の取り込み球数は、実施例では５個単位で取り込みが行われるようになっている。
【００２５】
上記の各転動路装置３５ａ、３５ｂ、３５ｃは1列に並んで受皿９から順次傾斜していて遊技球の自重で1列に流下されるようになっている。各の転動路装置３５は、その上流側で遊技球を5個単位で並んで保持されるように夫々に仕切り板３６ａ、３６ｂ、３６ｃが設けられている。各転動路装置３５の底面は棒状のレール、または図３のように底面が開閉する開閉底面部材で形成されており、遊技者による所定単位遊技球数投入選択ボタン１２操作による投入数単位の選択によって、上記転動路装置３５ａ、３５ｂ、３５ｃに設けられた遊技球落下装置が働き、各装置内３５の遊技球が遊技球落下装置の作動と同時に遊技機本体内へ落下し所定の単位遊技球数が取り込まれる。また遊技球落下装置の作動と連動して前記仕切り装置３６ａ、３６ｂ、３６ｃが働き、落下装置が作動中に上流側からの遊技球が落下して取り込み投入個数に誤差が生じないようになっている。
【００２６】
また各転動路装置３５の遊技球は、本体１側からＬＥＤからなる照明装置により夫々異なるカラー照明で照射されており、各転動路装置３５ａ、３５ｂ、３５ｃ毎の遊技球が例えば赤、青、黄色等に照明され、支持板８の一部が透明板で覆われて、この状態で遊技機内にある各転動路装置３５ａ、３５ｂ、３５ｃの遊技球が前面の遊技者から視認できるようになっている。
また各転動路装置３５には所定球数の遊技球が載置されているかを検出する検出装置が設けられ、遊技球が不足している検出があると、転動路装置３５の遊技球落下装置が作動しないようになっている。
【００２７】
図３、図４は本発明の別の実施例の転動路装置を示す横断面図で、落下手段を兼ねている。図３は落下手段の作動と同時に仕切り装置が働く様子を順に示す横断面図で、図４はその平面図である。
本実施例の転動路装置は前記した落下手段と仕切り装置の両方の機能を併せ持つ構造になっている。即ち図３、図４において、転動路装置は一方左側の通路壁５１が固定しており、他方右側の通路壁を構成する部材が回転する可動部材となっている。この可動部材は流動路の底部を構成する可動底部５２と上流側の仕切り装置を構成する仕切り部材５３が連動して可動回転するようになっている。
【００２８】
図３ａは上流側の流通路２３から遊技球Ｐ１が転動路装置へ流入する状態を示し、この状態で右側の通路壁を構成する可動底部５２が閉じて仕切り部材５３が開き、上流側の遊技球Ｐ１が転動路装置内へ流入する。
図３ｂ、図３ｃは可動底部５２が開き始めた状態を示し、転動路装置内の遊技球Ｐ１は可動底部５２が開くと同時に自重により落下しはじめる。同時に仕切り部材５３が下部側に可動し始めて、転動路装置より上流側にある遊技球Ｐ２が流動路装置内へ流入するのが遮断される。Ｐ１は流動路装置内の遊技球Ｐ１を示し、Ｐ２は転動路装置より上流側の遊技球Ｐ２を示している。
図３ｄは可動底部５２が開き流動路装置より装置内の遊技球Ｐ１が落下する状態を示し、遊技機本体内に取り込まれる。このため転動路装置内の遊技球は同時の所定数落下される。遊技球の落下投入が完了後、再び図３ａの状態に可動底部５２が閉じ仕切り部材５３が開いて上流側の遊技球が転動路装置内へ流入し、上記の動作が繰り返される。この転動路装置が通常３個直列に１列に設けられて前記実施例のように遊技機本体１内に設けられ、転動路装置内の遊技球は外部の遊技者から視認できるようになっている。また各転動路装置ごとに異なるカラー照明がなされて遊技者が外部から視認でき、興趣が得られる様にしてある。なお転動路装置は遊技球貯留部２１の下方に位置して受け皿９の前面に沿って設けるようにしてもよい。
【図面の簡単な説明】
【００２９】
【図１】本発明の一実施例を示す遊技機の正面図である。
【図２】本発明の遊技球取り込み装置を示す概略図である。
【図３】本発明の実施例の転動路装置を示し、落下手段の作動と同時に仕切り装置が働く様子を順に示す横断面図でる。
【図４】図３の転動路装置を示す平面図である。
【符号の説明】
【００３０】
Ｍ  遊技機
１  本体
３  装飾枠
４  透視窓
５  スタートレバー
６  手動停止ボタン
７  ドラム
８  支持板
９  受け皿
１２  遊技球投入取り込み選択ボタン
２１  遊技球貯留部
２３  遊技球流通路
３０  遊技球取り込み装置
３５ａ、３５ｂ、３５ｃ  転動路装置
３６ａ、３６ｂ、３６ｃ  仕切り板
５１  転動路装置の一方の通路壁
５２  転動路装置の可動底部
５３  転動路装置の可動仕切り部材
【図１】
2006149536.tif 000003
【図２】
2006149536.tif 000004
【図３】
2006149536.tif 000005
【図４】
2006149536.tif 000006